(57)【要約】【課題】吸気口から液体が浸入した場合でも故障しにくく、通風による冷却効率の高い、信頼性の高い誘導加熱調理器を提供する。【解決手段】本発明の誘導加熱調理器は、吸気口と排気口とを有する外郭ケースと、加熱コイルと、前記加熱コイルを駆動する電気回路を備えた回路基板と、冷却ファンと、前記回路基板を支持する回路支持台と、前記回路支持台の裏面と前記外郭ケースの底面との間に形成され、冷却ファンが位置する側に開口部を有し且つ他の部分を閉じた第１の空間と、前記冷却ファンの下方と前記外郭ケースの底面との間に形成され、前記吸気口と通風路を通じて繋がっており且つ前記第１の空間と前記開口部を通じて繋がっている第２の空間と、を有する。【選択図】図１
2006222095.tif 000002
【特許請求の範囲】
【請求項１】
吸気口と排気口とを有する外郭ケースと、
加熱コイルと、
前記加熱コイルを駆動する電気回路を備えた回路基板と、
冷却ファンと、
前記回路基板を支持する回路支持台と、
前記回路支持台の裏面と前記外郭ケースの底面との間に形成され、冷却ファンが位置する側に開口部を有し且つ他の部分を閉じた第１の空間と、
前記冷却ファンの下方と前記外郭ケースの底面との間に形成され、前記吸気口と通風路を通じて繋がっており且つ前記第１の空間と前記開口部を通じて繋がっている第２の空間と、
を有することを特徴とする誘導加熱調理器。
【請求項２】
前記第１の空間を、前記吸気口から前記第２の空間に達する経路の延長方向に設けたことを特徴とする請求項１に記載の誘導加熱調理器。
【請求項３】
前記冷却ファンを駆動するモータを前記冷却ファンの下方に配置し、前記モータの少なくとも下方にモータカバーを設けたことを特徴とする請求項１又は請求項２に記載の誘導加熱調理器。
【請求項４】
前記モータカバーには前記冷却ファンに導風する通気穴を設け、前記通気穴の下端が前記開口部の上端よりも高い位置にあることを特徴とする請求項３に記載の誘導加熱調理器。
【請求項５】
前記モータカバーが、ファンカバーと一体構造、又は前記モータカバーは単体でファンカバーと一体に組み立てられた構造を有することを特徴とする請求項３に記載の誘導加熱調理器。
【請求項６】
前記吸気口から前記第２の空間に達する通風路の少なくとも一部を構成する前記外郭ケースと前記モータカバーとの隙間の幅が、前記開口部の高さよりも小さいことを特徴とする請求項３に記載の誘導加熱調理器。
【請求項７】
前記回路支持台の裏面に、前記第１の空間から前記第２の空間に向かう方向と略平行な第１のリブと、前記第１のリブと交差する第２のリブと、を有する補強リブを配置し、
前記第１のリブの高さが前記第２のリブよりも高いことを特徴とする請求項１から請求項５のいずれかに記載の誘導加熱調理器。
【請求項８】
前記吸気口から前記第２の空間に達する通風路を構成する前記外郭ケースにビードを設けたことを特徴とする請求項１から請求項７のいずれか記載の誘導加熱調理器。
【請求項９】
前記ビードの方向が前記吸気口から前記第２の空間に達する経路方向と略並行であることを特徴とする請求項７記載の誘導加熱調理器。
【請求項１０】
整流板を更に有し、
前記整流板と前記外郭ケースの傾斜した部分とが、前記吸気口から前記第２の空間に達する通風路の少なくとも一部である整流通風路を構成し、
前記整流通風路の通風出口側が通風入口側よりも狭いことを特徴とする請求項１から請求項９のいずれかの請求項に記載の誘導加熱調理器。
【請求項１１】
吸気口と排気口とを有する外郭ケースと、
加熱コイルと、
前記加熱コイルを駆動する電気回路を備えた回路基板と、
上下両吸い込み型で、上からの吸い込み風と下からの吸い込み風とを分割する仕切板を有する冷却用遠心ファンと、
実質的に前記遠心ファンが上から吸い込んで吹き出した風を前記加熱コイルに導く加熱コイル導風路と、
を有し、
前記回路基板が、実質的に前記遠心ファンが下から吸い込んで吹き出した風が前記回路基板の上面に導かれるように配置されている、
ことを特徴とする誘導加熱調理部。
【請求項１２】
前記冷却用遠心ファンを駆動するモータを前記冷却用遠心ファンの下方に配置したことを特徴とする請求項１１に記載の誘導加熱調理器。
【発明の詳細な説明】
【技術分野】
【０００１】
本発明は、冷却ファンを有する誘導加熱調理器に関する。
【背景技術】
【０００２】
近年、住宅の高密度化に伴い、台所で使用される加熱調理器として、火を使わない、燃焼ガスのでない安全でクリーンな熱源として、誘導加熱調理器が普及され始めている。
【０００３】
従来例の誘導加熱調理器として特許文献１がある。従来例の誘導加熱調理器の構成について図７、図８を用いて説明する。
図７は従来例の誘導加熱調理器の右側面から見た断面図であり、図８は同じ誘導加熱調理器の分解斜投影図である。
従来例の誘導加熱調理器は、外郭ケース１、トッププレート２、誘導加熱調理部３、４、ラジエントヒータ加熱調理部５、誘導加熱コイル６、７、スプリング８、９、コイル支持板１０、シーズヒータ１１、ロースタ部１２、上回路基板１３、下回路基板１４、冷却ファン１５、モータ１６、ファンカバー１７、第１の空間１８、第２の空間１９、吸気口２０、排気口２１、仕切り２２、カンガルーポケット２３、操作部２４を有する。
【０００４】
誘導加熱調理器は外郭ケース１に囲まれて構成されている。
外郭ケース１の上面はトッププレート２となっており、トッププレート２の表面上には二つの誘導加熱調理部３、４と、ラジエントヒータ加熱調理部５が設けられている。トッププレート２上において誘導加熱調理部３、４とラジエントヒータ加熱調理部５は円形の表示により示されている。ユーザはこれらの円形の表示の上に鍋などを置き調理する。
トッププレート２の下方にはコイル支持板１０が固定されており、その上に設けられたスプリング８、９によって誘導加熱コイル６、７がトッププレート２の誘導加熱調理部３、４にそれぞれ押しつけられている。
トッププレート２のラジエントヒータ加熱調理部５は、その真下に配置されているラジエントヒータであるシーズヒータ１１によって加熱される。
誘導加熱調理器の左側でコイル支持台１０の下部には、魚などを調理するためのロースタ部１２が設けられている。
誘導加熱調理器の右側でコイル支持台１０の下部には、誘導加熱コイル６、７及びシーズヒータ１１を駆動するためのインバータを構成する２組の回路基板１３、１４が上下に重ねて配置されている。
【０００５】
回路基板１４の下側には空間が設けられており、これを第１の空間１８と呼ぶことにする。
回路基板１３、１４はそれぞれにインバータ回路（発熱源となる。）を含む電気回路ユニットである。誘導加熱調理器で調理を行うと、誘導加熱コイル６、７及び回路基板１３、１４はそれ自体が発熱し、且つシーズヒータ１１及びロースタ部１２の輻射熱により熱せられる。誘導加熱調理器の故障を防止するため、誘導加熱コイル６、７及び回路基板１３、１４を冷却する必要がある。従来例の誘導加熱調理器は、誘導加熱調理器の右側で回路基板１３、１４の後方にシロッコファン（遠心ファン）である冷却ファン１５を有している。
【０００６】
冷却ファン１５はファンカバー１７によって囲まれており、ファンカバー１７の上に設けられたモータ１６によって駆動される。
ファンカバー１７の下側は壁で仕切られた独立空間である。これを第２の空間１９と呼ぶことにする。
従来例の誘導加熱調理器においては第１の空間１８と第２の空間１９は仕切り２２によって仕切られている。
【０００７】
冷却ファン１５は、図７の矢印にて示すように、誘導加熱調理器の上面（外郭ケース１の上面）後方右側に設けられた吸気口２０から吸気した空気をファンカバー１７の上部及び下部から吸い込み、回路基板１３、１４に吹きつけて、これらの回路基板を冷却する。２５は、冷却ファン１５の単位面積当たりの風量の分布（線が左に寄る程風量が強く、右側に寄ると風量は弱い。）を示す。冷却ファン１５は、上下両吸い込み型で、上からの吸い込み風と下からの吸い込み風とを分割する仕切板を有する。そのため２５において、風量分布に２つのピーク（上から吸い込んで吹き出した風のピーク、及び下から吸い込んで吹き出した風のピーク）がある。
【０００８】
冷却ファン１５が上から吸い込んで吹き出した風は主として上回路基板１３の上面（上面にインバータの放熱フィンが配置されている。）を通り、下から吸い込んで吹き出した風は主として下回路基板１４の上面（上面にインバータの放熱フィンが配置されている。）を通る。
回路基板１３、１４に吹き付けられた空気は、外郭ケース内を通って吸気口２０の隣の（誘導加熱調理器の上面（外郭ケース１の上面）後方左側に設けられた）排気口２１から排気される。
外郭ケース１（前面パネルを含む。）の前面右側に設けられた本体に出し入れ可能なカンガルーポケット２３の上面に、操作部２４が設けられている。
【０００９】
【特許文献１】特開２００１−２６７０５４号公報。
【発明の開示】
【発明が解決しようとする課題】
【００１０】
上記の様に、誘導加熱調理器においては、内部（特にインバータを有する回路基板及び誘導加熱コイル）を適切に冷却する必要がある。冷却ファンを用いて内部を冷却する機器においては、吸い込んだ風が発熱部を通ってスムーズに流れ出て行く経路を作ることが極めて重要である。吸い込んだ風が発熱部に届かないまま排出されたり、吸い込んだ空気が中で滞って十分な空気の流量が得られない場合は、内部温度の上昇を招き、故障の増加、信頼性及び寿命の低下を招く。
従来の誘導加熱調理器においては、冷却ファンから吹き出された風は、２つの回路基板を通って外郭ケースの前面に当たって流れる方向を変え、誘導加熱コイルを通って排気口から排気された。外郭ケースの前面に当たって流れる方向を変えた時に風の勢いが弱まり、空気の流量が下がった。又、空気ガイドがないために、空気の流れに乱れが生じ易かった。
【００１１】
また、冷却ファンの吐出能力最高部近傍に回路基板（プリント基板）面があるので、ファンが吸い込んだ油や油煙が回路基板面に付着しやすく、基板上の部品の異極間に堆積物がつくと、リークなどにより動作不良を起こしやすいという問題があった。
【００１２】
ユーザが誘導加熱調理器を使っている時に、誤って水（例えば鍋の汁等の液体）をこぼし、その水が吸気口２０から誘導加熱調理器の内部に入り込むことがある。
回路基板１３、１４が内部に入り込んだ水をかぶると、動作不良になり又は故障するおそれがある。
上記従来例の誘導加熱調理器では、第１の空間１８と第２の空間１９との間に仕切２１を設け、吸気口２０から入った水が第２の空間１９にたまり、第１の空間１８（その上に回路基板１４が位置する。）に入らないようにしていた。
吸気口２０から入った水は、第２の空間１９にためられた後に徐々に蒸発し又は排出される。
【００１３】
従来例の構成の下では冷却ファン下側の第２の空間１９は壁で仕切られた独立空間であるため、限られた容積しか持たない。従来の誘導加熱調理器は、第２の空間１９の容積までしか、浸入した液体をためることが出来なかった。従って第２の空間１９の容積を越えた大量の液体が一気に吸気口から浸入してきた場合には、外郭ケース上の吸気口から第２の空間１９まで重力で加速されながら流れ込んだ液体が第２の空間１９と第１の空間１８との仕切り２２で急に止まり、第２の空間１９内で勢い良く跳ね返った。跳ね返りによって生じた飛沫がファン吸い込み圧により冷却ファン１５に吸い込まれ、かえって回路基板１３、１４に飛び散って付着しやすいという問題点があった。
【００１４】
本発明は、通風による冷却効率の高い、信頼性の高い誘導加熱調理器を提供することを目的とする。本発明は、吸い込み口から大量の液体が流れ込んでも、回路基板が液体に浸かりにくく且つ液体の飛沫が回路基板にかかりにくい誘導加熱調理器を提供することを目的とする。
【課題を解決するための手段】
【００１５】
上記課題を解決するために、本発明の誘導加熱調理器は、吸気口と排気口とを有する外郭ケースと、加熱コイルと、前記加熱コイルを駆動する電気回路を備えた回路基板と、冷却ファンと、前記回路基板を支持する回路支持台と、前記回路支持台の裏面と前記外郭ケースの底面との間に形成され、冷却ファンが位置する側に開口部を有し且つ他の部分を閉じた第１の空間と、前記冷却ファンの下方と前記外郭ケースの底面との間に形成され、前記吸気口と通風路を通じて繋がっており且つ前記第１の空間と前記開口部を通じて繋がっている第２の空間と、を有する。
【００１６】
第１の空間と第２の空間とが繋がった構成となっているため、吸気口から一度に多量の液体が内部に浸入してきた場合でも、第２の空間で急に止まることなく第１の空間へ流れ込む。第１の空間と第２の空間とを合わせた空間（両空間の間には、従来の仕切りに代えて開口部が設けられている。）は、従来よりも大きな容積を有する故に、従来よりも大量の液体をためることが出来る。吸気口から浸入した液体は第１の空間の奥に突き当たって跳ね返るが、第１の空間は開口部以外の部分が閉じた空間である故に、跳ね返った飛沫が冷却ファン又は回路基板に飛び散ることはない。従って、本発明は、吸い込み口から大量の液体が流れ込んでも、回路基板が液体に浸かりにくく且つ液体の飛沫が回路基板にかかりにくい誘導加熱調理器を実現出来る。
【発明の効果】
【００１７】
本発明によれば、通風による冷却効率の高い、信頼性の高い誘導加熱調理器を実現出来るという有利な効果が得られる。本発明によれば、吸い込み口から大量の液体が流れ込んでも、回路基板が液体に浸かりにくく且つ液体の飛沫が回路基板にかかりにくい誘導加熱調理器を実現出来るという有利な効果が得られる。
【発明を実施するための最良の形態】
【００１８】
第１の発明に係る誘導加熱調理器は、吸気口と排気口とを有する外郭ケースと、加熱コイルと、前記加熱コイルを駆動する電気回路を備えた回路基板と、冷却ファンと、前記回路基板を支持する回路支持台と、前記回路支持台の裏面と前記外郭ケースの底面との間に形成され、冷却ファンが位置する側に開口部を有し且つ他の部分を閉じた第１の空間と、前記冷却ファンの下方と前記外郭ケースの底面との間に形成され、前記吸気口と通風路を通じて繋がっており且つ前記第１の空間と前記開口部を通じて繋がっている第２の空間と、を有することを特徴とする。
【００１９】
このような構成にすることにより、吸収口から大量の液体が一度に浸入してきた場合でも、浸入してきた液体が第２の空間で急に止まることがなく、第１の空間に流れ込む。これにより、浪打や飛沫の発生を低減し、回路基板が液体に浸かったり、冷却ファンが液体の飛沫を吸い込む可能性を大きく低減することが出来る。
外郭ケースを隙間のない構造とし、本体内（主として第１の空間及び第２の空間）で水を受けるようにすれば、誘導加熱調理器を組み込むキッチンのキャビネット内に水が漏れにくくなる。このような構造にすれば水抜き穴もないので、キャビネット内の熱気が誘導加熱調理器内に入り込まず、吸気口から吸い込まれた外部の冷たい空気で誘導加熱調理器の内部を確実に冷却することが出来る。
【００２０】
上記誘導加熱調理器において、前記第１の空間を、前記吸気口から前記第２の空間に達する経路の延長方向に設けたことを特徴とする。
外郭ケース上の吸気口から流れ込んだ液体は第２の空間に入り、更に第２の空間と第１の空間との開口部を通って第１の空間に入る。第２の空間と第１の空間との開口部で経路が屈曲してれば、屈曲部で浪打や飛沫が生じ易い。本発明の誘導加熱調理器においては、吸気口から第１の空間の奥に至る上記の経路に左右に屈曲する所がない故に、第２の空間に浸入してきた液体がスムーズに第１の空間へ吸収される。そのため飛沫が発生しにくく、冷却ファンが液体を吸い込むことを低減させることができる。
本発明は、吸い込み口から大量の液体が流れ込んでも、回路基板が液体に浸かりにくく且つ液体の飛沫が回路基板にかかりにくい誘導加熱調理器を実現出来る。
【００２１】
また、上記誘導加熱調理器において、前記冷却ファンを駆動するモータを前記冷却ファンの下方に配置し、前記モータの少なくとも下方にモータカバーを設けたことを特徴とする。
従来の誘導加熱調理器においては、冷却ファンの駆動モータを冷却ファンの上に設けていた。しかし本発明の発明者は、後述するように、冷却ファンの取り付け位置を従来より高くした方が通風による冷却効率を高く出来ることを発見した。本発明においては、冷却ファンの取り付け位置を従来より高くするため、その駆動モータを冷却ファンの下方に配置している。これにより、ケース内の通風を良くすることが出来た。
【００２２】
モータを冷却ファンの下方に配置して、外郭ケース内の低い位置に配置することにより、モータの漏れ磁束（磁界漏れ）を小さく出来た。金属で出来た外郭ケースが、電磁シールドの役割を果たすためである。一般にユーザは電気製品からの磁界漏れを好まない（例えば多くのユーザは、磁界が健康に与える未知の影響に対して不安を持っている。）故に、漏れ磁束が少ない誘導加熱調理器は、ユーザにとって魅力的である。
【００２３】
本発明においては、冷却ファンの下方に取りつけたモータは、第２の空間近くに位置する故、吸気口から流れ込んだ液体の飛沫を吸い込む恐れがある。本発明においては、モータの少なくとも下方にモータカバーを設け、モータ自体が液体に浸かって破損すること、及びモータが液体の飛沫を吸い込んで回路基板に飛び散らすことを防止している。
本発明は、通風による冷却効率が高く、吸い込み口から大量の液体が流れ込んでも回路基板が液体に浸かりにくく且つ液体の飛沫が回路基板にかかりにくい誘導加熱調理器を実現出来る。
【００２４】
さらに、上記誘導加熱調理器において、前記モータカバーには前記冷却ファンに導風する通気穴を設け、前記通気穴の下端が前記開口部の上端よりも高い位置にあることを特徴とする。
モータカバーに通気穴を設けることにより、冷却ファンは上方のみならずモータカバーのある下方からも空気を取り入れることが出来、十分な風量を発生することが出来る。
冷却ファンに導風するための通気穴は第１の空間入り口よりも高い位置にあるので、第２の空間へ浸入してきた液体はほとんど開口部を通じて第１の空間に流れ、通気穴から冷却ファンに吸収されることはほとんどない。
これにより十分な風量を発生し、且つ流れ込んだ液体の飛沫を吸い込む可能性が低い冷却ファンを有する誘導加熱調理器を実現出来る。
【００２５】
またさらに、上記誘導加熱調理器において、前記モータカバーが、ファンカバーと一体構造、又は前記モータカバーは単体でファンカバーと一体に組み立てられた構造を有することを特徴とする。
モータカバーを上記構造にすることにより、モータカバーに隙間が生じないように出来る。高い防水性を有するモータカバーを実現出来る。又、高い剛性を有し、壊れにくいモータカバーを実現出来る。更に、一体のモータカバーを短時間で簡単に誘導加熱調理器に取り付けることが出来る（組立性に優れている。）。
【００２６】
またさらに、上記誘導加熱調理器において、前記吸気口から前記第２の空間に達する通風路の少なくとも一部を構成する前記外郭ケースと前記モータカバーとの隙間の幅が、前記開口部の高さよりも小さいことを特徴とする。
このような構成にすることにより、吸気口から浸入してきた液体が外郭ケースとモータカバーとの隙間を通ったときに流れの勢いが吸収され、その後、第１の空間へ入り込むので飛沫発生を低減して冷却ファンが水を吸い込みにくくすることができる。外郭ケースとモータカバーとの隙間を通った液体の流量は、開口部が通すことが出来る流量の上限よりも小さい。従って、外郭ケースとモータカバーとの隙間を通った液体が開口部であふれて高い跳ね返りを生ずることはない。
【００２７】
またさらに、上記誘導加熱調理器において、前記回路支持台の裏面に、前記第１の空間から前記第２の空間に向かう方向と略平行な第１のリブと、前記第１のリブと交差する第２のリブと、を有する補強リブを配置し、前記第１のリブの高さが前記第２のリブよりも高いことを特徴とする。
【００２８】
強い強度を持たせるため、第１の空間の上面を形成する回路支持台の裏面をリブで補強することが好ましい。しかし、裏面から下方に突出する補強リブが第１の空間に流れ込んだ液体の流れを妨げて飛沫を発生させたならば、動作不良等を生じる恐れがある。本発明においては、上記の構成のリブを設けることにより、第１の空間から第２の空間へ向かう方向と略平行に設けられた高い第１のリブが第１の空間に流れ込んだ液体の水流を整流し、それと交差する（例えば直交する）方向に設けられた低い第２のリブによって水流の流れが乱れることを防止する。第２のリブは、第１の空間に流れ込んだ水流の勢いを少しずつ減らし、水流が第１の空間の奥の壁に当たって跳ね返る勢いを小さくする効果がある。本発明により、飛沫発生を低減して冷却ファンが水を吸い込みにくくすることができる。
【００２９】
またさらに、上記誘導加熱調理器において、前記吸気口から前記第２の空間に達する通風路を構成する前記外郭ケースにビードを設けたことを特徴とする。
これにより、ビードが本体外郭強度を上げ、モータの漏れ磁界又はモータ自体の回転振動により外郭ケースが振動することを低減し、騒音を防ぐことができる。
特に、冷却ファンの駆動モータを冷却ファンの下方に設けた場合には、モータの漏れ磁界又はモータ自体の回転振動により外郭ケースが振動し易く、本発明のビードによる外郭ケースの振動防止効果が大きい。
【００３０】
またさらに、上記誘導加熱調理器において、前記ビードの方向が前記吸気口から前記第２の空間に達する経路方向と略並行であることを特徴とする。
この構成によれば、ビードは外郭ケースを補強する役割のほかに、吸気口から浸入してきた液体を整流する役割を果たす。水流が乱されず飛沫が発生しにくい。
【００３１】
またさらに、上記誘導加熱調理器において、整流板を更に有し、前記整流板と前記外郭ケースの傾斜した部分とが、前記吸気口から前記第２の空間に達する通風路の少なくとも一部である整流通風路を構成し、前記整流通風路の通風出口側が通風入口側よりも狭いことを特徴とする。
吸気口から流入する液体は外郭傾斜部に当たる。この部分に整流板を設けることは、整流効果が大きく、入口側よりも出口側が狭いので整流効果を増す。
また、整流板がモータカバー上部の通気穴を覆う構造にすることにより、通気穴から水が流入することも防止できる。
【００３２】
第２の発明に係る誘導加熱調理器は、吸気口と排気口とを有する外郭ケースと、加熱コイルと、前記加熱コイルを駆動する電気回路を備えた回路基板と、上下両吸い込み型で、上からの吸い込み風と下からの吸い込み風とを分割する仕切板を有する冷却用遠心ファンと、実質的に前記遠心ファンが上から吸い込んで吹き出した風を前記加熱コイルに導く加熱コイル導風路と、を有し、前記回路基板が、実質的に前記遠心ファンが下から吸い込んで吹き出した風が前記回路基板の上面に導かれるように配置されている、ことを特徴とする。
【００３３】
本発明によれば、冷却ファンの仕切板上側から吹き出された風は加熱コイル導風路によって誘導加熱コイルに導かれ、外郭ケース外に排出される。加熱コイル導風路により、冷却ファンから遠い加熱コイルに効果的に送風でき、加熱コイルの温度低減が図られ、ひいては高出力の加熱コイル配置が可能となる。
冷却ファンの仕切板下側から吹き出された風は回路基板の上面に導かれ、インバータの放熱フィン等を冷却した後、外郭ケース外に排出される。加熱コイル導風路を上記の様に設けることにより、上下それぞれの風が所定の経路を通ってスムーズに流れるようになった。本発明は、内部を効率的に冷却する誘導加熱調理器を実現できる。
好ましくは、冷却ファンの仕切板下側から吹き出された風がその上面を強く流れる１枚の回路基板にインバータ等の発熱部品を集中する。これにより、インバータ等の冷却効果を上げることが出来る。
【００３４】
遠心冷却ファンでは、上下の仕切板に近い部分が吐出能力最高部となる。この部分は油煙も強く吐き出される部分である。冷却ファンの仕切板上側の吐出能力最高部は、加熱コイル導風路上に位置する。冷却ファンの仕切板上側から吹き出された水や油煙は、加熱コイル導風路によって受けられ、その下の回路基板に堆積することはない。冷却ファンの仕切板下側の吐出能力最高部は回路ユニットで最も背の高い部品の頂上部付近に位置する。回路部品の頂上（一般に絶縁性のケースである。）に油煙等が付着しても通常回路動作に支障はない。回路基板の表面に直接水や油煙が直接吹き付けられない。従って、回路基板自体の表面に付着する水や油堆積物が減り、異極電位でのリークなどによる動作不良が低減される。
【００３５】
上記誘導加熱調理器において、前記冷却用遠心ファンを駆動するモータを前記冷却用遠心ファンの下方に配置したことを特徴とする。
冷却ファン駆動モータを冷却ファンの下側に配置することにより、従来より冷却ファンの位置を高くすることが出来る。これにより、請求項１１に記載の効果を得ることが出来る。
【実施例】
【００３６】
以下本発明の実施をするための最良の形態を具体的に示した実施例について、図面と共に記載する。
【００３７】
図１〜６を用いて、本発明の実施例の誘導加熱調理器を説明する。
図１は実施例の誘導加熱調理器の右側面から見た断面図である。図２は実施例の誘導加熱調理器の分解斜投影図である。図３は実施例の誘導加熱調理器の部分断面図である。図４は実施例における誘導加熱調理器の要部断面図である。図５は実施例における誘導加熱調理器の要部断面図である。図６は実施例における誘導加熱調理器のモータカバーの構造を示す斜投影図である。
図１及び図２において、誘導加熱調理器は、外郭ケース１、トッププレート２、誘導加熱調理部３、４、ラジエントヒータ加熱調理部５、誘導加熱コイル６、７、スプリング８、９、コイル支持板１０、ラジエントヒータ１１、ロースタ部１２、上回路基板１３、下回路基板１４、冷却ファン１５、モータ１６、ファンカバー１７、第１の空間１８、第２の空間１９、吸気口２０、排気口２１、カンガルーポケット２３、操作部２４、加熱コイル導風路２７、モータカバー３０を有する。
【００３８】
誘導加熱調理器は外郭ケース１に囲まれて構成されている。外郭ケースを隙間のない構造とし、水抜き穴もない。本体内に水が入った場合は、主として第１の空間１８及び第２の空間１９で水を受けるようになっている。
外郭ケース１の上面はトッププレート２となっており、トッププレート２の表面上には２つの誘導加熱調理部３、４と、ラジエントヒータ加熱調理部５が設けられている。トッププレート２上において誘導加熱調理部３、４とラジエントヒータ加熱調理部５は円形の表示により示されている。ユーザはこれらの円形の表示の上に鍋などを置き調理する。
トッププレート２の下方にはコイル支持板１０が固定されており、その上に設けられたスプリング８、９によって誘導加熱コイル６、７がトッププレート２の誘導加熱調理部３、４にそれぞれ押しつけられている。
【００３９】
トッププレート２のラジエントヒータ加熱調理部５は、その真下に配置されているラジエントヒータであるシーズヒータ１１によって加熱される。
誘導加熱調理器の左側でコイル支持台１０の下部には、魚などを調理するためのロースタ部１２が設けられている。
誘導加熱調理器の右側でコイル支持台１０の下部には、誘導加熱コイル６、７及びシーズヒータ１１を駆動するためのインバータを構成する２組の回路基板１３、１４が上下に重ねて配置されている。
【００４０】
回路基板１４は、回路支持板によって支持されている。回路支持板の下側には空間が設けられており、これを第１の空間１８と呼ぶ。第１の空間１８は、後述する第２の空間１９との間に開口部２６を有し、開口部２６以外の部分は閉じている。開口部２６を通じて両空間は相互に繋がっている。
回路基板１３、１４はインバータ回路を含む電気回路ユニットである。誘導加熱コイル等の駆動半導体等の発熱部品は、上回路基板１３に集中して配置されている。上回路基板１３と、誘導加熱コイル６、７とはそれぞれ中継線で結ばれている。下回路基板１４には、冷却が必要な発熱部品は配置されていない。
誘導加熱調理器で調理を行うと、誘導加熱コイル６、７及び上回路基板１３はそれ自体が発熱し、且つシーズヒータ１１及びロースタ部１２の輻射熱により熱せられる。誘導加熱調理器の故障を防止するため、誘導加熱コイル６、７及び上回路基板１３を冷却する必要がある。実施例の誘導加熱調理器は、誘導加熱調理器の右側で回路基板１３、１４の後方にシロッコファンである冷却ファン１５を有している。
【００４１】
冷却ファン１５はファンカバー１７によって囲まれており、冷却ファン１５の下に設置されたモータ１６によって駆動される。モータカバー３０は、モータ１６の下面をカバーしている（真下から見ると、モータカバー３０に隠れて冷却ファン１５が見えない。）。尚、後述するように下面からも冷却ファン１５に空気が流入するように、モータカバー３０には通気口４３が設けられている。
モータカバー３０の下側は壁で仕切られた独立空間である。これを第２の空間１９と呼ぶ。第２の空間１９は、吸気口２０と通風路２８を通じて繋がっており、第１の空間１８と開口部２６を通じて繋がっている。第１の空間１８及びその開口部２６は、吸気口２０から第２の空間１９に達する経路の延長方向に設けられている（誘導加熱調理器の前から見て、この経路が実質的に左右に曲がっていない（屈曲部がない。）。）。
【００４２】
このような構成にすることにより、吸気口２０から大量の液体が一度に浸入してきた場合でも、第２の空間１９で浸入してきた液体が急激に止まることがなく、その延長方向にある第１の空間１８に流れ込み、浪打や飛沫の発生を低減し、冷却ファン１５が液体を吸い込むことが少なくなる。
また、流れの延長方向に第１の空間１８が存在するので、第２の空間１９へ浸入してきた液体はスムーズに第１の空間１８へ流れることができる。
【００４３】
冷却ファン１５は、図１の矢印にて示すように、誘導加熱調理器の上面（外郭ケース１の上面）後方右側に設けられた吸気口２０から吸気した空気をファンカバー１７の上部及び下部から吸い込み、誘導加熱コイル６、７、回路基板１３、１４（主として回路基板１３）に吹きつけて、これらの誘導加熱コイル及び回路基板を冷却する。２５は、冷却ファン１５の単位面積当たりの風量の分布（線が左に寄る程風量が強く、右側に寄ると風量は弱い。）を示す。冷却ファン１５は、上下両吸い込み型で、上からの吸い込み風と下からの吸い込み風とを分割する仕切板を有する。そのため２５において、風量分布に２つのピーク（上から吸い込んで吹き出した風のピーク、及び下から吸い込んで吹き出した風のピーク）がある。
【００４４】
加熱コイル導風路２７は、冷却ファン１５の仕切板近傍から加熱コイル７に向かってカーブしながらせり上がるスロープを有する。冷却ファン１５が上から吸い込んで吹き出した風は加熱コイル導風路２７によって導かれて（加熱コイル導風路２７の上を通って）主として加熱コイル７を通り、吸気口２０の隣の（誘導加熱調理器の上面（外郭ケース１の上面）後方左側に設けられた）排気口２１から排気される。ファンから遠い誘導加熱コイル７に効果的に送風でき、誘導加熱コイル７の温度低減が図られる。
冷却ファン１５が下から吸い込んで吹き出した風は主として上回路基板１３の上面（上面にインバータの全ての放熱フィンが配置されている。一部の風は下回路基板１４の上面を通る。）を通り、外郭ケースの前面で上にあがって加熱コイル６を通り、排気口２１から排気される。
【００４５】
遠心冷却ファンでは、上下の仕切板に近い部分が吐出能力最高部となる。この部分は油煙も強く吐き出される部分である。冷却ファンの仕切板上側の吐出能力最高部は、加熱コイル導風路２７上に位置する。冷却ファンの仕切板上側から吹き出された水や油煙は、加熱コイル導風路２７によって受けられ、その下の回路基板１３、１４に堆積することはない。冷却ファンの仕切板下側の吐出能力最高部は回路基板１３で最も背の高い部品の頂上部付近に位置する。回路部品の頂上（一般に絶縁性のケースである。）に油煙等が付着しても通常回路動作に支障はない。回路基板１３、１４の表面に直接水や油煙が直接吹き付けられない。従って、回路基板１３、１４自体の表面に付着する水や油堆積物が減り、異極電位でのリークなどによる動作不良が低減される。
【００４６】
外郭ケースから吹き出された熱い空気が調理中のユーザの身体に当たることはユーザに不快感を与える。キッチンのキャビネット内に熱い空気を排出することは好ましくない。それ故に、実施例の誘導加熱調理器においては、排気口を誘導加熱調理器の上面（外郭ケース１の上面）後方左側に設けている。
外郭ケース１（前面パネルを含む。）の前面右側に設けられた本体に出し入れ可能なカンガルーポケット２３の上面に、操作部２４が設けられている。
【００４７】
本実施例の誘導加熱調理器においては、モータ１６を冷却ファン１５の下方に配置し、モータ１６の周囲にモータカバー３０及びファンカバー１７を設けている。冷却ファン１５には、モータカバー３０にあけられた通気口４３及び冷却ファン１５の上方の通気穴から空気が流入する。
このような構成にすれば、モータ１６がトッププレート２から遠ざけて配置されているためモータの漏れ磁界が本体表面に出にくい（漏れ磁界は、金属性の外郭ケース１によってほとんど遮蔽されて外部に漏れない。）。モータ１６はモータカバー３０で護られているため、第２の空間１９に浸入してきた液体によってモータ１６が損傷することを防ぐことが出来る。
図６にモータカバー３０及びファンカバー１７を斜め下方から見た時の斜投影図を示す。モータカバー３０は、ファンカバー１７と一体構造を有する。従って、所定の通気口以外から水が漏れ込むことはない。これに代えて、モータカバー３０単体を含む複数の部品を組み立てることによりファンカバーを構成するようにしても良い。モータカバー３０及びファンカバー１７に冷却ファン１５及びモータ１６を組み込むことにより、冷却ファンユニットが出来る。冷却ファンユニットは、それのみを単独で、短時間で組み立てることが出来る。冷却ファンユニットを外郭ケースに固定することにより、冷却ファンユニットを短時間で外郭ケースに組み込むことが出来る。
【００４８】
図６において、モータカバー３０は、通気口４３を有する。モータカバー３０は、真下から見ると冷却ファン１５及びモータ１６が見えない（下からの投影図に冷却ファン１５及びモータ１６が表れない。）構造を有する。通気口４３は水平方向に開いている故に、第２の空間１９に流れ込んだ水の飛沫が入りにくい。通気口４３の下端（その高さを図４のａに示す。）は、開口部２６の上端（その高さを図４のｂに示す。）よりも高い位置にある。第２の空間１９へ浸入してきた液体は通気口４３から冷却ファン１５に入り込むことはほとんどなく、第１の空間１８へ流れ込む。
実施例においてファンカバー１７は冷却ファン１５を、モータカバー３０はモータ１６を横から見ても完全にカバーしている。
【００４９】
ファンカバー１７の面６２は、外郭ケース１の背面に密着して取り付けられる。面６２と整流板４４との間の空間６１が、吸気口２０から第２の空間１９に至る通風路２８の一部を形成している。図１に示すようにファンカバー１７を外郭ケース１に固定した状態において、整流板４４は、外郭ケース１の傾斜した部分２９と対向する位置に配置される。整流板４４は、通風路２８に流れ込んだ水が通気口４３に流れ込むことを防止している。
整流板４４と外郭ケース１の傾斜した部分２９とは、通風路２８の一部を形成し、その通風出口側４１が通風入口側４２よりも狭い。又、少なくとも通風出口側４１の幅（図１で左右の方向の幅）は、開口部２６の高さより狭い。尚、通風出口側４１の奥行き（図１で紙面に垂直方向の長さ）も、開口部２６の奥行き（図１で紙面に垂直方向の長さ）と同一又はそれ以下にする（実施例においては同一である。）。
吸気口２０から流入した液体は外郭の傾斜部２９に当たるため勢いが殺がれる。この部分に整流板４４を設けて通風路の出口側４１を狭くすることにより、整流効果を高め、出口側４１を通って第２の空間１９に流れ込む水を、開口部２６が流すことが出来る水量の上限よりも少ない量に制限する。
【００５０】
また、モータカバー３０と、本体の外郭ケース１の底面との間の隙間の大きさ（図４においてｃ）が開口部２６の高さ（図４においてｂ）よりも小さくなるようにしている。これにより、第２の空間１９へ浸入してきた液体がモータカバー３０の下の隙間を通ったときに流れの勢いが吸収され、その後開口部２６の上端よりも水面の高さが低い状態で第１の空間１８に入り込むので、開口部２６において水流が跳ね返って飛沫を発生することがない。
【００５１】
図５は、吸気口２０から通気路２８を通って第２の空間１９に至る経路に沿った外郭ケース１を部分的に拡大して示す要部断面図である。図５及び図３に示すように、金属性の外郭ケース１にはビード５１、５２、５３が設けられている。図３に示すように、実施例において、ビード５３は第２の空間１９、開口部２６、第１の空間１８にまたがって真っ直ぐ伸びている。ビード５１、５２、５３は、外郭ケース１の強度を上げ、モータ１６の漏れ磁界又はモータ１５自体の回転振動により外郭ケースが振動しない様にしており、騒音の発生を防止している。
ビード５１、５２、５３は、吸気口２０から第２の空間１９に達する経路方向と平行に作られている。ビード５１、５２、５３は、吸気口２０から流れ込んだ水流を整流する。
【図面の簡単な説明】
【００５２】
【図１】本発明の実施例の誘導加熱調理器の断面図
【図２】本発明の実施例の誘導加熱調理器の分解斜投影図
【図３】本発明の実施例の誘導加熱調理器の部分断面図
【図４】本発明の実施例の誘導加熱調理器の要部断面図
【図５】本発明の実施例の誘導加熱調理器の要部断面図
【図６】本発明の実施例のモータカバーの構造を示す斜投影図
【図７】従来例の誘導加熱調理器の断面図
【図８】従来例の誘導加熱調理器の分解斜投影図
【符号の説明】
【００５３】
１…外郭ケース、
２…トッププレート、
３，４…誘導加熱調理部、
５…ラジエントヒータ加熱調理部、
６，７…誘導加熱コイル、
８，９…スプリング、
１０…コイル支持板、
１１…シーズヒータ、
１２…ロースタ部、
１３…上回路基板、
１４…下回路基板、
１５…冷却ファン、
１６…モータ、
１７…ファンカバー、
１８…第１の空間、
１９…第２の空間、
２０…吸気口、
２１…排気口、
２２…仕切り、
２３…カンガルーポケット、
２４…操作部、
２６…開口部、
２７…加熱コイル導風路、
２８…通風路、
３０…モータカバー、
４３…通気口、
４４…整流板、
５１，５２，５３…ビード。
【図１】
2006222095.tif 000003
【図２】
2006222095.tif 000004
【図３】
2006222095.tif 000005
【図４】
2006222095.tif 000006
【図５】
2006222095.tif 000007
【図６】
2006222095.tif 000008
【図７】
2006222095.tif 000009
【図８】
2006222095.tif 000010
【手続補正書】
【提出日】平成18年6月21日(2006.6.21)
【手続補正１】
【補正対象書類名】特許請求の範囲
【補正対象項目名】全文
【補正方法】変更
【補正の内容】
【特許請求の範囲】
【請求項１】
吸気口と排気口とが上面に配される外郭ケースと、
加熱コイルと、
前記加熱コイルを駆動する電気回路を備えた回路基板と、
冷却ファン、前記冷却ファンを駆動するモータ及び前記冷却ファンを囲むファンカバーを有し前記外郭ユニットに固定される冷却ファンユニットと、
前記回路基板を支持する回路支持台と、
前記回路支持台の裏面と前記外郭ケースの底面との間に形成され、前記冷却ファンが位置する側に開口部を有し且つ他の部分を閉じた第１の空間と、
前記冷却ファンの下方と前記外郭ケースの底面との間に形成され、前記冷却ファンカバーにより一部が形成される通風路を介して前記吸気口と繋がっており且つ前記第１の空間と前記開口部を通じて繋がっている第２の空間と、
を有し、前記吸気口から侵入してきた液体が前記第２の空間で急に止まり前記液体の浪打や飛沫が発生するのを低減すべく前記液体が前記第１の空間に流れ込むようにしたことを特徴とする誘導加熱調理器。
【請求項２】
前記第１の空間を、前記吸気口から前記第２の空間に達する経路の延長方向に設けたことを特徴とする請求項１に記載の誘導加熱調理器。
【請求項３】
前記冷却ファンを駆動するモータを前記冷却ファンの下方に配置し、前記モータの少なくとも下方にモータカバーを設けたことを特徴とする請求項１又は請求項２に記載の誘導加熱調理器。
【請求項４】
前記モータカバーには前記冷却ファンに導風する通気穴を設け、前記通気穴の下端が前記開口部の上端よりも高い位置にあることを特徴とする請求項３に記載の誘導加熱調理器。
【請求項５】
前記モータカバーが、前記ファンカバーと一体構造、又は前記モータカバーは単体で前記ファンカバーと一体に組み立てられた構造を有することを特徴とする請求項３に記載の誘導加熱調理器。
【請求項６】
前記吸気口から前記第２の空間に達する通風路の少なくとも一部を構成する前記外郭ケースと前記モータカバーとの隙間の幅が、前記開口部の高さよりも小さいことを特徴とする請求項３に記載の誘導加熱調理器。
【請求項７】
前記冷却ファンは、上下両吸い込み型で、上からの吸い込み風と下からの吸い込み風とを分割する仕切板を有する冷却用遠心ファンとし、
実質的に前記遠心ファンが上から吸い込んで吹き出した風を前記加熱コイルに導く加熱コイル導風路をさらに有し、
前記回路基板が、実質的に前記遠心ファンが下から吸い込んで吹き出した風が前記回路基板の上面に導かれるように配置されていることを特徴とする請求項１乃至６のうちのいずれか１つに記載の誘導加熱調理部。
【請求項８】
前記冷却用遠心ファンを駆動するモータを前記冷却用遠心ファンの下方に配置したことを特徴とする請求項７に記載の誘導加熱調理器。
【手続補正２】
【補正対象書類名】明細書
【補正対象項目名】００１５
【補正方法】変更
【補正の内容】
【００１５】
上記課題を解決するために、本発明の誘導加熱調理器は、吸気口と排気口とが上面に配される外郭ケースと、加熱コイルと、前記加熱コイルを駆動する電気回路を備えた回路基板と、冷却ファン、前記冷却ファンを駆動するモータ及び前記冷却ファンを囲むファンカバーを有し前記外郭ユニットに固定される冷却ファンユニットと、前記回路基板を支持する回路支持台と、前記回路支持台の裏面と前記外郭ケースの底面との間に形成され、前記冷却ファンが位置する側に開口部を有し且つ他の部分を閉じた第１の空間と、前記冷却ファンの下方と前記外郭ケースの底面との間に形成され、前記冷却ファンカバーにより一部が形成される通風路を介して前記吸気口と繋がっており且つ前記第１の空間と前記開口部を通じて繋がっている第２の空間と、を有し、前記吸気口から侵入してきた前記液体が前記第２の空間で急に止まり前記液体の浪打や飛沫が発生するのを低減すべく前記液体が前記第１の空間に流れ込むようにする。
【手続補正３】
【補正対象書類名】明細書
【補正対象項目名】００１６
【補正方法】変更
【補正の内容】
【００１６】
第１の空間と第２の空間とが繋がった構成となっているため、吸気口から一度に多量の液体が内部に浸入してきた場合でも、第２の空間で急に止まることなく第１の空間へ流れ込む。第１の空間と第２の空間とを合わせた空間（両空間の間には、従来の仕切りに代えて開口部が設けられている。）は、従来よりも大きな容積を有する故に、従来よりも大量の液体をためることが出来る。吸気口から浸入した液体は第１の空間の奥に突き当たって跳ね返るが、第１の空間は開口部以外の部分が閉じた空間である故に、跳ね返った飛沫が冷却ファン又は回路基板に飛び散ることはない。従って、本発明は、吸い込み口から大量の液体が流れ込んでも、回路基板が液体に浸かりにくく且つ液体の飛沫が回路基板にかかりにくい誘導加熱調理器を実現出来る。また、冷却ファンユニットは、短時間で組み立てることが出来、冷却ファンユニットを外郭ケースに固定することにより、冷却ファンユニットを短時間で外郭ケースに組み込むことが出来る。
【手続補正４】
【補正対象書類名】明細書
【補正対象項目名】００１８
【補正方法】変更
【補正の内容】
【００１８】
第１の発明に係る誘導加熱調理器は、吸気口と排気口とが上面に配される外郭ケースと、加熱コイルと、前記加熱コイルを駆動する電気回路を備えた回路基板と、冷却ファン、前記冷却ファンを駆動するモータ及び前記冷却ファンを囲むファンカバーを有し前記外郭ユニットに固定される冷却ファンユニットと、前記回路基板を支持する回路支持台と、前記回路支持台の裏面と前記外郭ケースの底面との間に形成され、前記冷却ファンが位置する側に開口部を有し且つ他の部分を閉じた第１の空間と、前記冷却ファンの下方と前記外郭ケースの底面との間に形成され、前記冷却ファンカバーにより一部が形成される通風路を介して前記吸気口と繋がっており且つ前記第１の空間と前記開口部を通じて繋がっている第２の空間と、を有し、前記吸気口から侵入してきた液体が前記第２の空間で急に止まり前記液体の浪打や飛沫が発生するのを低減すべく前記液体が前記第１の空間に流れ込むようにしたことを特徴とする。
【手続補正５】
【補正対象書類名】明細書
【補正対象項目名】００１９
【補正方法】変更
【補正の内容】
【００１９】
このような構成にすることにより、吸収口から大量の液体が一度に浸入してきた場合でも、浸入してきた液体が第２の空間で急に止まることがなく、第１の空間に流れ込む。これにより、浪打や飛沫の発生を低減し、回路基板が液体に浸かったり、冷却ファンが液体の飛沫を吸い込む可能性を大きく低減することが出来る。
また、冷却ファンユニットは、短時間で組み立てることが出来、冷却ファンユニットを外郭ケースに固定することにより、冷却ファンユニットを短時間で外郭ケースに組み込むことが出来る。
外郭ケースを隙間のない構造とし、本体内（主として第１の空間及び第２の空間）で水を受けるようにすれば、誘導加熱調理器を組み込むキッチンのキャビネット内に水が漏れにくくなる。このような構造にすれば水抜き穴もないので、キャビネット内の熱気が誘導加熱調理器内に入り込まず、吸気口から吸い込まれた外部の冷たい空気で誘導加熱調理器の内部を確実に冷却することが出来る。
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】削除
【補正の内容】
【手続補正８】
【補正対象書類名】明細書
【補正対象項目名】００２９
【補正方法】削除
【補正の内容】
【手続補正９】
【補正対象書類名】明細書
【補正対象項目名】００３０
【補正方法】削除
【補正の内容】
【手続補正１０】
【補正対象書類名】明細書
【補正対象項目名】００３１
【補正方法】削除
【補正の内容】
【手続補正１１】
【補正対象書類名】明細書
【補正対象項目名】００３２
【補正方法】変更
【補正の内容】
【００３２】
またさらに、上記誘導加熱調理器において、前記冷却ファンは、上下両吸い込み型で、上からの吸い込み風と下からの吸い込み風とを分割する仕切板を有する冷却用遠心ファンとし、実質的に前記遠心ファンが上から吸い込んで吹き出した風を前記加熱コイルに導く加熱コイル導風路をさらに有し、前記回路基板が、実質的に前記遠心ファンが下から吸い込んで吹き出した風が前記回路基板の上面に導かれるように配置されていることを特徴とする。
【手続補正１２】
【補正対象書類名】明細書
【補正対象項目名】００３５
【補正方法】変更
【補正の内容】
【００３５】
またさらに、上記誘導加熱調理器において、前記冷却用遠心ファンを駆動するモータを前記冷却用遠心ファンの下方に配置したことを特徴とする。
冷却ファン駆動モータを冷却ファンの下側に配置することにより、従来より冷却ファンの位置を高くすることが出来る。これにより、上記効果を得ることが出来る。